(57)【要約】【課題】軽量、コンパクトでワーキング長を確保しながらアライメントを容易にできる手持ち式眼底撮像装置を提供する。【解決手段】検者が手で握り部１１を握り、顔あて部１２を被検者１の顔の一部に密着させ、反射鏡１３を偏向させてアライメントを行い、アライメントが完了すると、被検眼眼底が撮像される。反射鏡１３を除く光学系は、握り部と顔あて部を含む本体部分内に配置され、反射鏡１３は本体部分外に配置される。また、反射鏡を偏向させるレバー１６が握り部１１に配置される。このような構成では、装置本体を安定した状態に保ちながら、反射鏡を移動させることにより簡単で確実なアライメント操作を行うことができる。【選択図】図１
2008000155.tif 000002
【特許請求の範囲】
【請求項１】
握り部を持った手または顔あて部を被検者の顔の一部に密着させた状態で操作する手持ち式眼底撮像装置であって、
入射瞳の位置を移動させるための偏向可能な反射鏡と、
該反射鏡を介して被検眼を観察、撮影する光学系とを備え、
該反射鏡を偏向させて被検眼に対する位置合わせを行うことを特徴とする手持ち式眼底撮像装置。
【請求項２】
握り部を持った手または顔あて部を被検者の顔の一部に密着させて、被検眼眼底を撮像する手持ち式眼底撮像装置であって、
入射瞳の位置を移動させるための偏向可能な反射鏡と、
偏向可能な反射鏡を介して被検眼を観察、撮影する光学系とを備え、
前記反射鏡を除く光学系を、握り部を含む本体部分内に配置するとともに、前記反射鏡を本体部分外に配置し、該反射鏡を偏向させて被検眼に対する位置合わせを行うことを特徴とする手持ち式眼底撮像装置。
【請求項３】
前記反射鏡を偏向するための操作手段が、握り部を握った手で操作できるように、握り部に配置されることを特徴とする請求項１又は２に記載の手持ち式眼底撮像装置。
【請求項４】
被検眼眼底にピントを合わせるための操作手段が、握り部を握った手で操作できるように、握り部に配置されることを特徴とする請求項１から３のいずれか１項に記載の手持ち式眼底撮像装置。
【請求項５】
静止画撮影を行うための撮影スイッチが、握り部を握った手で操作できるように、握り部に配置されることを特徴とする請求項１から４のいずれか１項に記載の手持ち式眼底撮像装置。
【請求項６】
メインスイッチが、握り部を握った手で操作できるように、握り部に配置されることを特徴とする請求項１から５のいずれか１項に記載の手持ち式眼底撮像装置。
【請求項７】
前記反射鏡を偏向するための操作手段が、握り部を握った手と反対側の手で操作できるように、取り付けられることを特徴とする請求項１又は２に記載の手持ち式眼底撮像装置。
【請求項８】
被検眼眼底にピントを合わせるための操作手段が、握り部を握った手と反対側の手で操作できるように、取り付けられることを特徴とする請求項１から３のいずれか１項に記載の手持ち式眼底撮像装置。
【請求項９】
静止画撮影を行うための撮影スイッチが、握り部を握った手と反対側の手で操作できるように、取り付けられることを特徴とする請求項１から４のいずれか１項に記載の手持ち式眼底撮像装置。
【請求項１０】
メインスイッチが、握り部を握った手と反対側の手で操作できるように、取り付けられることを特徴とする請求項１から５のいずれか１項に記載の手持ち式眼底撮像装置。
【請求項１１】
静止画撮影を行うための撮影スイッチが、握り部を握った手と反対側の手で操作できるように、取り付けられることを特徴とする請求項１から６のいずれか１項に記載の手持ち式眼底撮像装置。
【請求項１２】
前記反射鏡が凹面鏡であることを特徴とする請求項１から１１のいずれか１項に記載の手持ち式眼底撮像装置。
【請求項１３】
該反射鏡は撮影絞りの前方に光学配置されていることを特徴とする請求項１から１２のいずれか１項に記載の手持ち式眼底撮像装置。
【請求項１４】
被検眼を照明するための光源が、複数の発光ダイオードから構成されることを特徴とする請求項１から１３のいずれか１項に記載の手持ち式眼底撮像装置。
【発明の詳細な説明】
【技術分野】
【０００１】
本発明は、手持ち式眼底撮像装置、更に詳細には、検者が手で握り部を握り、握り部を持った手または顔あて部を被検者の顔の一部に密着させて、被検眼眼底を撮像する手持ち式眼底撮像装置に関する。
【背景技術】
【０００２】
従来から、検者が手で握り部を握り、装置を被検者の顔の一部に密着させて眼底撮影を行う小型の手持ち式眼底カメラが知られている（特許文献１、２）。
【０００３】
また、眼底カメラとして、撮影絞りと角膜の光路中に配置された反射鏡を介して照明光を眼底に導き、反射鏡の角度を変化させてアライメントを行う眼底カメラ（特許文献３）、スリット光をミラーで２次元的に移動させ眼底を照明しアライメントを行う眼底カメラ（特許文献４、５）などが知られている。
【特許文献１】特開２００５−１４３８０５号公報
【特許文献２】特開平４−２５６７２６号公報
【特許文献３】特開２００２−３４５７５８号公報
【特許文献４】特開平６−７３０１号公報
【特許文献５】特開昭５６−８３３２６号公報
【発明の開示】
【発明が解決しようとする課題】
【０００４】
従来の手持ち式眼底カメラでは、被検眼との位置関係が安定しないために、被検眼と撮影光学系の位置合わせ、つまりアライメント操作が困難であるという問題がある。そのために、眼底カメラを軽くすべく小型化する結果、被検眼へのワーキング長が１０ｍｍ以下と短くなっている。それでもまだ、本体が重く、アライメントが困難なために、気軽に使用できるものでなく、またワーキング長が短いために、眼底カメラの先端が被検眼角膜に接触する恐れが高く、常に危険が伴うという問題がある。
【０００５】
本発明は、このような問題点を解決するためになされたもので、軽量、コンパクトでワーキング長を確保しながらアライメントを容易にできる手持ち式眼底撮像装置を提供することを課題とする。
【課題を解決するための手段】
【０００６】
本発明は、
握り部を持った手または顔あて部を被検者の顔の一部に密着させた状態で操作する手持ち式眼底撮像装置であって、
入射瞳の位置を移動させるための偏向可能な反射鏡と、
該反射鏡を介して被検眼を観察、撮影する光学系とを備え、
該反射鏡を偏向させて被検眼に対する位置合わせを行うことを特徴とする。
【０００７】
また、本発明は、
握り部を持った手または顔あて部を被検者の顔の一部に密着させて、被検眼眼底を撮像する手持ち式眼底撮像装置であって、
入射瞳の位置を移動させるための偏向可能な反射鏡と、
偏向可能な反射鏡を介して被検眼を観察、撮影する光学系とを備え、
前記反射鏡を除く光学系を、握り部を含む本体部分内に配置するとともに、前記反射鏡を本体部分外に配置し、該反射鏡を偏向させて被検眼に対する位置合わせを行うことを特徴とする。
【発明の効果】
【０００８】
このような構成では、軽量、コンパクトでワーキング長を確保しながらアライメントを容易にしかも確実にすることが可能となる。
【発明を実施するための最良の形態】
【０００９】
以下に、本発明の実際例を図面を参照して詳細に説明する。
【実施例１】
【００１０】
図１には、本発明の手持ち式眼底撮像装置１０（眼底カメラ）の実施例が図示されており、眼底撮像装置１０は、検者が手で装置１０を握る握り部１１と、眼底撮影を行うとき被検者１の顔の一部１ｂ（瞼下部近辺）に密着される顔あて部１２を有している。
【００１１】
握り部１１には、メインスイッチ１５、ミラー調整レバー１６、撮影スイッチ１７、フォーカスダイアル１８などの操作手段が配置され、検者は握り部１１を手で握って顔あて部１２を被検者の顔に密着させて撮影を行うとき、これらの操作手段を容易に操作できるようになっている。
【００１２】
握り部１１と顔あて部１２からなる本体部分１０ａの筐体内には、後述するように、照明光学系、撮影光学系などの光学系、それに操作手段の操作に応じて制御を行う制御部、駆動装置、記録媒体などが内蔵され、この本体部分１０ａの外部には反射鏡１３が偏向可能に取り付けられ、反射鏡１３の被検者と反対側には被検眼１ａの眼底を観察できるモニタ１４が取り付けられる。
【００１３】
図２には、光学系の構成、並びに制御構成が図示されており、本体部分１０ａの筐体内には、照明光源３０、平面ミラー３１、撮影絞り３２、結像レンズ３３の光学系が内蔵されている。照明光源３０は、赤色発光ダイオード３０ａ、緑色発光ダイオード３０ｂ、青色発光ダイオード３０ｃを規則的に周囲に配置したリング板３０ｄからなり、リング板３０ｄが照明絞りを形成している。照明光源３０からでた光は、平面ミラー３１で反射され、対物レンズに相当する凹面鏡として形成された反射鏡１３で反射され、被検眼１ａに入射される。照明光源３０で照明された眼底からの反射光は、反射鏡１３に戻って平面ミラー３１の方向に反射され、照明光源３０の背後に配置された撮影絞り３２で絞られてから、結像レンズ３３により、撮像素子としてのＣＣＤ３４に入射して、そこに眼底が結像される。ここで、照明光源３０（照明絞り）、平面ミラー３１、反射鏡１３は、照明光学系を構成し、また、反射鏡１３、平面ミラー３１、撮影絞り３２、結像レンズ３３などは撮影光学系を構成する。なお、結像レンズ３３は、握り部１１に設けたフォーカスダイアル１８により光軸に沿って移動されるので、ＣＣＤ３４には、ピントの合った眼底像を結像させることができる。
【００１４】
また、本体部分１０ａの筐体内には、ＣＰＵなどからなる制御部２０が設けられ、この制御部２０は、メインスイッチ１５のオンオフに応じて照明光源駆動回路２４を駆動し、照明光源３０を点灯あるいは消灯し、またミラー調整レバー１６からの信号を受けてミラー駆動部２３を駆動して反射鏡１３を移動させる。反射鏡１３は、図１に示すように、本体部分１０ａに連結される保持部材１０ｂに保持され、この保持部材１０ｂが光軸に沿って移動でき、また保持部材１０ｂに設けられた紙面に垂直な水平軸１０ｃを中心に前後に回動できるようになっているので、ミラー駆動部２３により反射鏡１３を光軸に沿って移動させ、また水平軸１０ｃを中心に回転させることにより、反射鏡１３の被検眼１ａに対する角度並びに反射鏡１３の位置を調整することができる。
【００１５】
また、制御部２０は、ＣＣＤ３４に結像された眼底像を観察用モニタ１４に表示したり、撮影スイッチ１７の信号に応じてＣＣＤ３４に結像された眼底像をメモリ２１に一旦格納し、記録メディア２２に保存する。
【００１６】
このような構成において、被検眼１ａの眼底を撮影する場合には、検者は握り部１１を片手で握って装置を保持し、顔あて部１２を被検者の瞼下部１ｂに押し付けて本体部分１０ａを完全に被検者に密着させる。これにより、眼底撮像装置１０と被検眼１ａの位置関係を安定した状態に保つことができ、ワーキング長が短くても、装置の一部が被検眼角膜に接触する恐れが少なくなる。
【００１７】
続いて、メインスイッチ１５を操作することにより照明光源３０を点灯して、眼底を照明光で照明する。ミラー調整レバー１６を操作することにより、反射鏡１３の傾きとその光軸移動を調整することにより、撮影絞り３２の像と、照明絞り（照明光源３０）の像を同時に移動させ、入射瞳の位置を移動させることにより、これらの像が被検眼１ａの瞳にほぼ共役な位置になるようにアライメントを行う。
【００１８】
本発明では、眼底カメラの対物レンズに相当する光学素子（反射鏡１３）が、握り部１１と顔あて部１２からなる本体部分から分離して外部に配置されており、アライメント時に移動可能な状態となっている。これにより、本体部分を被検眼の下部に完全に密着させた安定した状態で、反射鏡１３を移動させることによりアライメント操作が行われるので、装置全体を移動させてアライメントを行う方式に比較して、安定した確実なアライメント操作ができる、という効果がある。
【００１９】
なお、アライメント操作は、最低限反射鏡１３の傾きと光軸に沿った移動だけで実現でき、あるいは、平面ミラー３１の傾きを調整し、反射鏡１３を光軸移動させることにより行うこともできる。あるいは反射鏡１３を光軸に対して垂直並びに平行移動させることにより行うこともできる。
【００２０】
アライメントがある程度完了したとき、フォーカスダイアル１８により結像レンズ３３を光軸に沿って移動させることより眼底にピントを合わせ、再度アライメントを正確に行って、アライメントを完了させる。このアライメントが完了した状態で、撮影スイッチ１７を押す。このとき、制御部２０は、照明光源駆動回路２４を介して瞬間的に照明光源３０の光量を増大させ、増大した照明光量で照明された眼底がＣＣＤ３４により静止画として撮像される。この撮像された眼底像は、一旦メモリ２１に格納され、装置本体に対して挿脱可能な記録メディア２２に保存される。
【００２１】
本発明では、検者が装置を握る握り部１１に、反射鏡１３を移動させるレバー１６、ピント合わせをするためのフォーカスダイアル１８、撮影スイッチ１７などの操作手段が配置されるので、片手ですべての操作が可能となり、操作性に優れた手持ち式眼底カメラが得られる。
【００２２】
なお、上述した実施例で、反射鏡（凹面鏡）１３と平面ミラー３１の配置を逆にして、平面ミラー３１を本体部分１０ａの外部に配置して、平面ミラー３１の傾き及び／又は光軸に沿った位置をレバー１６により調整してアライメントを行うようにしてもよい。
【００２３】
また、照明光源３０の各色の発光ダイオード３０ａ〜３０ｃの数、その配列、個々の発光ダイオードの光量を変えることにより、照明光源３０の色調整、光量調整を行うこともできる。
【００２４】
また、反射鏡１３を、図３に示すように、立体的に移動させることもできる。図３において、反射鏡１３を保持する鏡筒４０は、揺動部材４１の水平ピン４１ａを中心に前後に回動できるように、また揺動部材４１が本体部分１０ａに連結される支持部４２の垂直ピン４２ａを中心に回動できるように構成される。このような構成では、ミラー駆動部２３により反射鏡１３を水平軸ないし垂直軸を中心に回転させることにより、反射鏡の被検眼１ａに対する角度を立体的に調整することができる。
【実施例２】
【００２５】
図４には、手持ち式眼底撮像装置の他の実施例が符号５０を付して図示されている。手持ち式眼底撮像装置５０は、検者がその片手２で握る握り部５０ａと、握り部５０ａと一体の支持部５０ｂと、握り部５０ａの下方に結合された操作部５０ｃを有する。握り部５０ａあるいはそれに支持部５０ｂを含めた部分が本体部分を構成し、この本体部分内に、図２の１０ａ内に示した光学素子３０〜３３、ＣＣＤ３４、制御部２０、メモリ２１、記録メディア２２、ミラー駆動部２３、照明光源駆動回路２４などが内蔵されている。光学系のうち、反射鏡１３は、支持部５０ｂの外部に、つまり本体部分外に取り付けられ、反射鏡１３と反対側にはモニタ１４が取り付けられる。
【００２６】
また、支持部５０ｂの下方には、図２のフォーカスダイアル１８に対応するフォーカスダイアル５８が、支持部５０ｂでモニタ１４の下方には、図２のミラー調整レバー１６に対応するミラー調整レバー５６が取り付けられる。更に、操作部５０ｃには、図２のメインスイッチ１５、撮影スイッチ１７に対応するメインスイッチ５５、撮影スイッチ５７がそれぞれ取り付けられる。
【００２７】
このような構成において、被検眼１ａの眼底を撮影する場合には、検者は握り部５０ａを片手２で握って装置を保持し、その手を被検者の瞼下部に押し付けて、眼底撮像装置５０と被検眼１ａの位置関係を安定した状態に保つ。その他は、各操作が他方の手（不図示）で行われることを除けば、実施例１と同様な操作が行われる。
【００２８】
なお、握り部を持った手２を被検者の顔に押し付けて装置を保持する場合、清潔さを保つために、検者はその手２に手袋をはめるか、あるいは手２と被検者の顔の間にハンカチを介在させて手２を被検者の顔に押し当てるようにする。
【００２９】
すなわち、他方の手でメインスイッチ５５を操作し、照明光源３０を点灯して、眼底を照明光で照明する。続いて、他方の手でミラー調整レバー５６を操作することにより、反射鏡１３の傾きとその光軸移動を調整し、入射瞳を移動させて、撮影絞り３２の像と、照明絞り（照明光源３０）の像が被検眼１ａの瞳にほぼ共役な位置になるようにアライメントを行う。
【００３０】
アライメントがある程度完了したとき、他方の手でフォーカスダイアル５８により眼底にピントを合わせ、再度アライメントを正確に行って、アライメントを完了させる。このアライメントが完了した状態で、他方の手で撮影スイッチ５７を押し、眼底を撮像する。撮像された眼底像は、一旦メモリ２１に格納され、装置本体に対して挿脱可能な記録メディア２２に保存される。
【００３１】
実施例２でも、片手２で握り部５０ａを握り、その手２を被検者に押し当てるので、装置５０と被検眼１ａの位置関係が安定し、また他方の手で、すべての操作が可能となるので、実施例１と同様に、操作性に優れた手持ち式眼底カメラが得られる。
【００３２】
なお、実施例２でも、反射鏡１３と平面ミラー３１の配置を逆にして、平面ミラー３１を本体部分の外部に配置して、平面ミラー３１の傾き及び／又は光軸に沿った位置をレバー５６により調整してアライメントを行うようにしてもよい。
【００３３】
また、実施例２においても、反射鏡１３を、図３に示すような構成にすることにより、立体的に移動させることもできる。
【００３４】
また、実施例２においても、実施例１と同様な顔あて部を握り部５０ａの上部に設け、顔あて部を被検者の顔に密着させて装置を保持するようにすることもできる。あるいは、実施例１においても、実施例２と同様に、握り部を握った検者の手を被検眼の顔の一部に押し当てて装置を保持することもできる。従って、顔あて部がある場合には、実施例１のように、顔あて部を被検眼の顔の一部に密着させて、あるいはそれに加えて握り部を握った検者の手を被検眼の顔の一部に押し当てて、装置を保持することができるので、眼底撮像装置と被検眼の位置関係を更に安定した状態に保つことができる。
【図面の簡単な説明】
【００３５】
【図１】本発明の手持ち式眼底撮像装置の構成を示す側面図である。
【図２】手持ち式眼底撮像装置の光学系、並びに制御系の構成を示した構成図である。
【図３】反射鏡を立体的に移動させる機構を示した斜視図である。
【図４】本発明の手持ち式眼底撮像装置の他の構成を示す側面図である。
【符号の説明】
【００３６】
１０  手持ち式眼底撮像装置
１１  握り部
１２  顔あて部
１３  反射鏡
１４  モニタ
１５、５５  メインスイッチ
１６、５６  ミラー調整レバー
１７、５７  撮影スイッチ
１８、５８  フォーカスダイアル
【図１】
2008000155.tif 000003
【図２】
2008000155.tif 000004
【図３】
2008000155.tif 000005
【図４】
2008000155.tif 000006